(57)【要約】【課題】異なる２通りの姿勢で液体カートリッジをカートリッジ保持部に保持可能な画像記録装置において、液体カートリッジ内に進入可能な進入部材が液体カートリッジの外側あるいは液体カートリッジ内の部品と干渉して破損することを抑制する。【解決手段】液体を収容する液体カートリッジから液体の供給が可能となる液体供給位置に対して液体カートリッジを移動可能に保持するカートリッジ保持部と、カートリッジ保持部に第１姿勢で保持されて移動する液体カートリッジに挿脱可能であり、カートリッジ保持部に第１姿勢で保持された液体カートリッジを液体供給位置へ向けて移動した際に、液体カートリッジ内に侵入可能な進入部材と、カートリッジ保持部に第１姿勢と異なる第２姿勢で保持された液体カートリッジを液体供給位置へ向けて移動した際に、進入部材が液体カートリッジに侵入するのを不可にする規制部と、を備える。【選択図】図２３
2015058669.tif 000002
【特許請求の範囲】
【請求項１】
液体を収容する液体カートリッジから液体の供給が可能となる液体供給位置に対して前記液体カートリッジを移動可能に保持するカートリッジ保持部と、
前記カートリッジ保持部に第１姿勢で保持されて移動する前記液体カートリッジに挿脱可能であり、前記カートリッジ保持部に前記第１姿勢で保持された前記液体カートリッジを前記液体供給位置へ向けて移動した際に、前記液体カートリッジ内に侵入可能な進入部材と、
前記カートリッジ保持部に前記第１姿勢と異なる第２姿勢で保持された前記液体カートリッジを前記液体供給位置へ向けて移動した際に、前記進入部材が前記液体カートリッジに侵入するのを不可にする規制部と、
を備える画像記録装置。
【請求項２】
前記カートリッジ保持部は、前記第２姿勢で保持された前記液体カートリッジを前記進入部材から離隔した範囲で移動可能に保持する請求項１に記載の画像記録装置。
【請求項３】
前記液体カートリッジは取手を有し、前記カートリッジ保持部に保持された前記液体カートリッジの取手を操作して、前記液体カートリッジを移動できる請求項１または２に記載の画像記録装置。
【請求項４】
前記進入部材の少なくとも一部は、前記液体供給位置にて前記第１姿勢で保持された前記液体カートリッジ内に位置して、前記液体カートリッジに収容された液体パックに接続される請求項１ないし３のいずれか一項に記載の画像記録装置。
【請求項５】
前記進入部材は、前記液体パックに挿入され前記液体パックから液体を供給する液体供給針、前記液体パックに収容される液体に関する情報にアクセスするリーダー、および特定色の液体を収容する前記液体パックに嵌合する一方で前記特定色以外の液体を収容する前記液体パックに嵌合しない誤挿入防止部材の少なくとも１つである請求項４に記載の画像記録装置。
【請求項６】
前記カートリッジ保持部は、前記液体カートリッジが着脱可能に載置される移動可能なトレイを有し、前記トレイに載置された前記液体カートリッジが前記トレイに伴って移動する請求項１ないし５のいずれか一項に記載の画像記録装置。
【請求項７】
前記規制部は突出部および被挿脱部を有し、
前記突出部および前記被挿脱部のうち一方が前記カートリッジ保持部に設けられて他方が前記液体カートリッジに設けられ、前記液体カートリッジが前記液体供給位置へ移動するのに伴って前記突出部と前記被挿脱部とが相対的に近づくように構成され、
前記第１姿勢で前記カートリッジ保持部に保持された前記液体カートリッジが前記液体供給位置に移動すると、前記突出部は前記被挿脱部に入って、前記進入部材が前記液体カートリッジに進入することを許容する一方、前記第２姿勢で前記カートリッジ保持部に保持された前記液体カートリッジが前記液体供給位置へ移動してくると、前記突出部は前記被挿脱部が設けられた前記カートリッジ保持部あるいは前記液体カートリッジに接して、前記液体カートリッジを前記進入部材から離隔させる請求項１ないし６のいずれか一項に記載の画像記録装置。
【発明の詳細な説明】
【技術分野】
【０００１】
この発明は、液体カートリッジから供給される液体を用いて画像を記録する画像記録装置に関する。
【背景技術】
【０００２】
特許文献１に記載のプリンターは、インクカートリッジが着脱可能に装填されるカートリッジ装填部を備え、カートリッジ装填部に装填されたインクカートリッジから供給されるインクを用いて印刷を行う。また、カートリッジ装填部にインクカートリッジを装填する姿勢は上下方向に定められている。そこで、インクカートリッジの上下を判別できるようにインクカートリッジのケースを成形して、上下反対の姿勢でインクカートリッジがカートリッジ装填部に装填されることを防止している。
【先行技術文献】
【特許文献】
【０００３】
【特許文献１】特開２００７−０８３６８０号公報
【発明の概要】
【発明が解決しようとする課題】
【０００４】
このように、プリンターのような画像記録装置は、液体カートリッジを着脱可能に保持するカートリッジ保持部を備え、カートリッジ保持部に保持されたインクカートリッジから供給される液体を用いて画像記録を行うことができる。ちなみに、上記文献では、所定の姿勢とは異なる姿勢（上下反対の姿勢）で液体カートリッジがカートリッジ保持部に保持されることを防止していた。これに対して、所定の姿勢とは異なる姿勢で液体カートリッジがカートリッジ保持部に保持されることを許容するように画像記録装置を構成することもできる。
【０００５】
ただし、所定の目的で、カートリッジ保持部に保持された液体カートリッジ内に進入する進入部材が設けられる場合がある。このような場合、液体カートリッジの姿勢が異なると、液体カートリッジと進入部材との位置関係も変わる。そのため、液体カートリッジが一方の姿勢で保持されるときは、進入部材が液体カートリッジ内に適切に進入できるのに対して、液体カートリッジが他方の姿勢で保持されるときは、進入部材が液体カートリッジの外側あるいは液体カートリッジ内の部品と干渉して破損されるおそれがあった。
【０００６】
この発明は上記課題に鑑みてなされたものであり、異なる２通りの姿勢で液体カートリッジをカートリッジ保持部に保持可能な画像記録装置において、液体カートリッジの姿勢に依らず、液体カートリッジ内に進入可能な進入部材が液体カートリッジの外側あるいは液体カートリッジ内の部品と干渉して破損することを抑制する技術の提供を目的とする。
【課題を解決するための手段】
【０００７】
本発明にかかる画像記録装置は、上記目的を達成するために、液体を収容する液体カートリッジから液体の供給が可能となる液体供給位置に対して液体カートリッジを移動可能に保持するカートリッジ保持部と、カートリッジ保持部に第１姿勢で保持されて移動する液体カートリッジに挿脱可能であり、カートリッジ保持部に第１姿勢で保持された液体カートリッジを液体供給位置へ向けて移動した際に、液体カートリッジ内に侵入可能な進入部材と、カートリッジ保持部に第１姿勢と異なる第２姿勢で保持された液体カートリッジを液体供給位置へ向けて移動した際に、進入部材が液体カートリッジに侵入するのを不可にする規制部と、を備える。
【０００８】
このように構成された本発明では、カートリッジ保持部は、液体カートリッジから液体を供給できる液体供給位置に対して液体カートリッジを移動可能に保持する。進入部材は、カートリッジ保持部に第１姿勢で保持された液体カートリッジを液体供給位置へ向けて移動した際に、液体カートリッジ内に侵入可能である。したがって、液体カートリッジを第１姿勢で保持しておけば、進入部材の干渉を生じることなく液体カートリッジを液体供給位置まで移動させて、液体カートリッジ内に進入部材を位置させることができる。
【０００９】
ちなみに、本発明では、液体カートリッジの移動を規制する規制部が設けられている。かかる規制部は、カートリッジ保持部に第１姿勢と異なる第２姿勢で保持された液体カートリッジを液体供給位置へ向けて移動した際に、進入部材が液体カートリッジに侵入するのを不可にする。したがって、液体カートリッジを第２姿勢で保持した場合には、進入部材が液体カートリッジの外側や液体カートリッジ内の部品に干渉することが防止されている。このようにして、本発明では、液体カートリッジの姿勢に依らず、進入部材が液体カートリッジの外側あるいは液体カートリッジ内の部品と干渉して破損することが防止されている。
【００１０】
ところで、本発明では、カートリッジ保持部は、第１姿勢で保持された液体カートリッジを移動可能に保持する。したがって、第１姿勢で保持された液体カートリッジを適宜移動させて、液体カートリッジに収容される液体を撹拌することができる。この際、第２姿勢で保持された液体カートリッジについても、適宜移動させて液体の撹拌をできることが好ましい。なぜなら、液体カートリッジの第１姿勢と第２姿勢の両方で液体を撹拌して、効果的な液体の撹拌が可能となるからである。ただし、規制部が設けられているため、第２姿勢で保持された液体カートリッジの移動は、少なくとも部分的には規制される。
【００１１】
そこで、カートリッジ保持部は、第２姿勢で保持された液体カートリッジを進入部材から離隔した範囲で移動可能に保持するように、画像記録装置を構成しても良い。このように構成することで、規制部に依らず、第２姿勢で保持された液体カートリッジを適宜移動させて、液体カートリッジに収容される液体を撹拌することができる。その結果、液体カートリッジの第１姿勢と第２姿勢の両方で液体を撹拌して、効果的な液体の撹拌が可能となっている。
【００１２】
また、液体カートリッジは取手を有し、カートリッジ保持部に保持された液体カートリッジの取手を操作して、液体カートリッジを移動できるように、画像記録装置を構成しても良い。かかる構成では、作業者は液体カートリッジの取手を操作することで、液体カートリッジを移動させることができ、作業者の操作性が向上する。
【００１３】
また、進入部材の少なくとも一部は、液体供給位置にて第１姿勢で保持された液体カートリッジ内に位置して、液体カートリッジに収容された液体パックに接続されるように、画像記録装置を構成しても良い。かかる構成では、進入部材の少なくとも一部が第１姿勢で保持される液体カートリッジ内に進入して液体パックに接続される。このように液体パックに接続されるように進入部材が設けられている場合、第２姿勢で保持される液体カートリッジ内に進入部材が進入すると、進入部材によって液体パックが破損されて、液体パックから液体が漏れるおそれがある。これに対して、本発明によれば、第２姿勢で保持された液体カートリッジは規制部によって進入部材から離隔されるため、進入部材による液体パックの破損により液体パックから液体が漏れることを防止できる。
【００１４】
なお、進入部材としては、種々のものが想定される。そこで、進入部材は、液体パックに挿入され液体パックから液体を供給する液体供給針、液体パックに収容される液体に関する情報にアクセスするリーダー、および特定色の液体を収容する液体パックに嵌合する一方で特定色以外の液体を収容する液体パックに嵌合しない誤挿入防止部材の少なくとも１つであるように、画像記録装置を構成しても良い。
【００１５】
また、カートリッジ保持部は、液体カートリッジが着脱可能に載置される移動可能なトレイを有し、トレイに載置された液体カートリッジがトレイに伴って移動するように、画像記録装置を構成しても良い。かかる構成では、トレイによって液体カートリッジをしっかりと保持しつつ、トレイに伴って液体カートリッジを移動させることができ、液体カートリッジの移動を安定的に実行することができる。
【００１６】
また、規制部としては、種々の具体的機構が想定される。そこで、規制部は突出部および被挿脱部を有し、突出部および被挿脱部のうち一方がカートリッジ保持部に設けられて他方が液体カートリッジに設けられ、液体カートリッジが液体供給位置へ移動するのに伴って突出部と被挿脱部とが相対的に近づくように構成され、第１姿勢でカートリッジ保持部に保持された液体カートリッジが液体供給位置に移動すると、突出部は被挿脱部に入って、進入部材が液体カートリッジに進入することを許容する一方、第２姿勢でカートリッジ保持部に保持された液体カートリッジが液体供給位置へ移動してくると、突出部は被挿脱部が設けられたカートリッジ保持部あるいは液体カートリッジに接して、液体カートリッジを進入部材から離隔させるように、画像記録装置を構成しても良い。かかる構成では、突出部と被挿脱部によって規制部の機能を簡便に実現することができる。
【図面の簡単な説明】
【００１７】
【図１】本発明を適用可能なプリンターの概略構成を模式的に例示する正面図。
【図２】インク供給システムとヘッドユニットの吐出ヘッドとを模式的に例示した図。
【図３】プリンターの外観を例示する斜視図。
【図４】インクカートリッジを保持するカートリッジ保持部を例示する斜視図。
【図５】インクカートリッジの外観構成を例示する斜視図。
【図６】図５のインクカートリッジに収容されるインクパックを例示する斜視図。
【図７】インクパックが取り外された状態におけるインクカートリッジを例示する図。
【図８】インクパックが取り外された状態におけるインクカートリッジを例示する図。
【図９】インクパックが取り外された状態におけるインクカートリッジを例示する図。
【図１０】インクパックが載置された状態におけるインクカートリッジを例示する図。
【図１１】インクパックが載置された状態におけるインクカートリッジを例示する図。
【図１２】インクパックが載置された状態におけるインクカートリッジを例示する図。
【図１３】インクパックが固定された状態におけるインクカートリッジを例示する図。
【図１４】インクパックが固定された状態におけるインクカートリッジを例示する図。
【図１５】インクパックが固定された状態におけるインクカートリッジを例示する図。
【図１６】カートリッジ保持部を部分的に例示する斜視図。
【図１７】カートリッジ保持部を部分的に例示する斜視図。
【図１８】インク供給姿勢のインクカートリッジを挿入した状態を例示する斜視図
【図１９】インク供給姿勢のインクカートリッジを挿入した状態を例示する拡大図。
【図２０】インク供給姿勢のインクカートリッジを挿入した状態を例示する斜視図
【図２１】インク供給姿勢のインクカートリッジを挿入した状態を例示する拡大図。
【図２２】反転姿勢のインクカートリッジを保持した状態を例示する斜視図。
【図２３】インクカートリッジを移動させる動作態様を例示する模式図。
【図２４】インクパックが固定された状態でのインクカートリッジの変形例を示す図。
【発明を実施するための形態】
【００１８】
図１は、本発明を適用可能なプリンターの概略構成を模式的に例示する正面図である。なお、図１や以下の図面では必要に応じて、装置各部の配置関係を明確にするために、プリンター１の左右方向Ｘ、前後方向Ｙおよび鉛直方向Ｚに対応したＸＹＺ直交座標系を表示する。
【００１９】
図１に示すように、プリンター１では、その両端が繰出軸２０および巻取軸４０にロール状に巻き付けられた１枚のシートＳ（ウェブ）が搬送経路Ｐcに沿って張架されており、シートＳは、繰出軸２０から巻取軸４０へ向かう搬送方向Ｄsへ搬送されつつ、画像記録を受ける。シートＳの種類は、紙系とフィルム系に大別される。具体例を挙げると、紙系には上質紙、キャスト紙、アート紙、コート紙等があり、フィルム系には合成紙、ＰＥＴ(Polyethylene terephthalate)、ＰＰ(polypropylene)等がある。概略的には、プリンター１は、繰出軸２０からシートＳを繰り出す繰出部２（繰出領域）と、繰出部２から繰り出されたシートＳに画像を記録するプロセス部３（プロセス領域）と、プロセス部３で画像の記録されたシートＳを巻取軸４０に巻き取る巻取部４（巻取領域）とを備え、Ｘ方向に並ぶこれら機能部２、３、４をハウジング１０に収容する。さらに、プリンター１は、ＣＰＵ(Central Processing Unit)やメモリーで構成された制御部１００をハウジング１０に内蔵し、各機能部２、３、４を制御部１００によって制御する。なお、以下の説明では、シートＳの両面のうち、画像が記録される面を表面と称する一方、その逆側の面を裏面と称する。
【００２０】
繰出部２は、シートＳの端を巻き付けた繰出軸２０と、繰出軸２０から引き出されたシートＳを巻き掛ける従動ローラー２１とを有する。繰出軸２０は、シートＳの表面を外側に向けた状態で、シートＳの端を巻き付けて支持する。そして、繰出軸２０が図１の紙面において時計回りに回転することで、繰出軸２０に巻き付けられたシートＳが従動ローラー２１を経由してプロセス部３へと繰り出される。ちなみに、シートＳは、繰出軸２０に着脱可能な芯管（図示省略）を介して繰出軸２０に巻き付けられている。したがって、繰出軸２０のシートＳが使い切られた際には、ロール状のシートＳが巻き付けられた新たな芯管を繰出軸２０に装着して、繰出軸２０のシートＳを取り換えることが可能となっている。
【００２１】
プロセス部３は、繰出部２から繰り出されたシートＳを回動ドラム３０で支持しつつ、回動ドラム３０の外周面に沿って配置されたプロセスユニットＰＵにより処理を適宜行って、シートＳに画像を印刷するものである。このプロセス部３では、回動ドラム３０の両側に前駆動ローラー３１と後駆動ローラー３２とが設けられており、前駆動ローラー３１から後駆動ローラー３２へと搬送されるシートＳが回動ドラム３０に支持されて、画像の印刷を受ける。
【００２２】
前駆動ローラー３１は、溶射によって形成された複数の微小突起を外周面に有しており、繰出部２から繰り出されたシートＳを裏面側から巻き掛ける。そして、前駆動ローラー３１は図１の紙面において時計回りに回転することで、繰出部２から繰り出されたシートＳを搬送経路の下流側へと搬送する。なお、前駆動ローラー３１に対してはニップローラー３１nが設けられている。このニップローラー３１nは、前駆動ローラー３１側へ付勢された状態でシートＳの表面に当接しており、前駆動ローラー３１との間でシートＳを挟み込む。これによって、前駆動ローラー３１とシートＳの間の摩擦力が確保され、前駆動ローラー３１によるシートＳの搬送を確実に行なうことができる。
【００２３】
回動ドラム３０は、Ｙ方向に平行な中心線を持つ円筒形状のドラムであり、その外周面にシートＳを巻き掛ける。さらに回動ドラム３０は、その円筒形状の中心線を通って軸方向に延びる回動軸３００を有している。回動軸３００は、図示を省略する支持機構によって回動可能に支持されており、回動ドラム３０は、回動軸３００を中心に回動する。
【００２４】
このような回動ドラム３０の外周面に、前駆動ローラー３１から後駆動ローラー３２へと搬送されるシートＳが裏面側から巻き掛けられる。そして、回動ドラム３０は、シートＳとの間の摩擦力を受けてシートＳの搬送方向Ｄsに従動回転しつつ、シートＳを裏面側から支持する。ちなみに、プロセス部３では、回動ドラム３０への巻き掛け部の両側でシートＳを折り返す従動ローラー３３、３４が設けられている。これらのうち従動ローラー３３は、前駆動ローラー３１と回動ドラム３０の間でシートＳの表面を巻き掛けて、シートＳを折り返す。一方、従動ローラー３４は、回動ドラム３０と後駆動ローラー３２の間でシートＳの表面を巻き掛けて、シートＳを折り返す。このように、回動ドラム３０に対して搬送方向Ｄsの上・下流側それぞれでシートＳを折り返すことで、回動ドラム３０へのシートＳの巻き掛け部を長く確保することができる。
【００２５】
後駆動ローラー３２は、溶射によって形成された複数の微小突起を外周面に有しており、回動ドラム３０から従動ローラー３４を経由して搬送されてきたシートＳを裏面側から巻き掛ける。そして、後駆動ローラー３２は図１の紙面において時計回りに回転することで、シートＳを巻取部４へと搬送する。なお、後駆動ローラー３２に対してはニップローラー３２nが設けられている。このニップローラー３２nは、後駆動ローラー３２側へ付勢された状態でシートＳの表面に当接しており、後駆動ローラー３２との間にシートＳを挟み込む。これによって、後駆動ローラー３２とシートＳの間の摩擦力が確保され、後駆動ローラー３２によるシートＳの搬送を確実に行なうことができる。
【００２６】
このように、前駆動ローラー３１から後駆動ローラー３２へと搬送されるシートＳは、回動ドラム３０の外周面に支持される。また、プロセス部３では、回動ドラム３０に支持されるシートＳの表面に対してカラー画像を印刷するために、プロセスユニットＰＵが設けられている。このプロセスユニットＰＵは、ヘッドユニット３６a〜３６f、ＵＶ照射器３７a〜３７eおよびインク供給システム７をキャリッジ５１で支持した構成を具備する。
【００２７】
搬送方向Ｄsに順番に並ぶ６個のヘッドユニット３６a〜３６fは、ホワイト、イエロー、シアン、マゼンタ、ブラックおよびクリアー（透明）に対応し、インクジェット方式で対応する色のインクをノズルから吐出する。各ヘッドユニット３６a〜３６fは、図２を用いて後述する吐出ヘッド３６０を先端に取り付けた構成を具備している。各ヘッドユニット３６a〜３６fの吐出ヘッド３６０（図２）では、Ｙ方向にシートＳの幅に渡って複数のノズルが配列されたノズル列が設けられて、ノズル列の各ノズルからインクが吐出される。これら６個のヘッドユニット３６ａ〜３６fは回動ドラム３０の回動軸３００から放射状に配置されて、回動ドラム３０の外周面に沿って並ぶ。そして、各ヘッドユニット３６a〜３６fは、キャリッジ５１によって回動ドラム３０に対して位置決めされ、若干のクリアランス（ペーパーギャップ）を空けて回動ドラム３０に対向する。これによって、各ヘッドユニット３６a〜３６fは、所定のペーパーギャップを空けて、回動ドラム３０に巻き掛けられたシートＳ表面に対向する。こうしてキャリッジ５１によってペーパーギャップが規定された状態で、各ヘッドユニット３６a〜３６fがインクを吐出することで、シートＳ表面の所望の位置にインクが着弾して、シートＳ表面にカラー画像が形成される。
【００２８】
ちなみに、ホワイトのインクを吐出するヘッドユニット３６aは、透明のシートＳに画像を印刷する場合に、ホワイトの背景をシートＳに形成するために用いられる。具体的には、ヘッドユニット３６aは、画像形成の対象となる領域の全面を埋め尽くすようにホワイトのインクを吐出して背景を形成する。そして、イエロー、シアン、マゼンタおよびブラックのインクを吐出するヘッドユニット３６b〜３６eが、白色の背景に重ねてカラー画像を形成する。また、ヘッドユニット３６fは、カラー画像に重ねてクリアーのインクを吐出して、カラー画像をクリアーのインクで覆う。これによって、光沢感やマット感などの質感がカラー画像に与えられる。
【００２９】
ヘッドユニット３６ａ〜３６fで使用するインクとしては、紫外線（光）を照射することで硬化するＵＶ（ultraviolet）インク（光硬化性インク）が用いられる。そこで、インクを硬化させてシートＳに定着させるために、ＵＶ照射器３７a〜３７eが設けられている。なお、このインク硬化は、本硬化と仮硬化とを使い分けて実行される。ここで、本硬化は、比較的強い照射強度の紫外線をインクに照射することで、インクの濡れ広がりが停止する程度にインクを硬化させる処理であり、仮硬化は、比較的弱い照射強度の紫外線をインクに照射することで、インクの濡れ広がり方が紫外線を照射しない場合に比べて十分遅くなる程度にインクを硬化させる処理であり、インクを本硬化させるものではない。
【００３０】
具体的には、ホワイトのヘッドユニット３６aとシアンのヘッドユニット３６bの間には、本硬化用のＵＶ照射器３７aが配置されている。したがって、ヘッドユニット３６aによって形成されたホワイトの背景は、ヘッドユニット３６b〜３６fからのインクが重ねられる前に、ＵＶ照射器３７aからの紫外線を受けて本硬化する。イエロー、シアン、マゼンタおよびブラックのヘッドユニット３６b〜３６eの各間には、仮硬化用のＵＶ照射器３７b〜３７dが配置されている。したがって、ヘッドユニット３６b〜３６dそれぞれが吐出したインクは、搬送方向Ｄsの下流側のヘッドユニット３６c〜３６eからのインクが重ねられる前に、ＵＶ照射器３７b〜３７dからの紫外線を受けて仮硬化する。これによって、ヘッドユニット３６b〜３６eそれぞれから吐出されたインクが混ざり合うといった混色の発生が抑制されている。ブラックのヘッドユニット３６eとクリアーのヘッドユニット３６fの間には、本硬化用のＵＶ照射器３７eが配置されている。したがって、ヘッドユニット３６b〜３６eにより形成されたカラー画像は、ヘッドユニット３６fからのインクが重ねられる前に、ＵＶ照射器３７eからの紫外線を受けて本硬化する。
【００３１】
また、キャリッジ５１の後側（−Ｙ側）には、２個のインク供給システム７がＸ方向に並んで取り付けけられている。左側（＋Ｘ側）のインク供給システム７は、ホワイト、イエロー、シアンのインクを供給する機構（インク流動制御機構）を色毎に有してハウジング７０に収容した構成を具備しており、３個のヘッドユニット３６a、３６b、３６cのそれぞれへ対応する色のインクを供給する。右側（＋Ｘ側）のインク供給システム７は、マゼンタ、ブラック、クリアーのインクを供給する機構（インク流動制御機構）を色毎に有してハウジング７０に収容した構成を具備しており、３個のヘッドユニット３６d、３６e、３６fのそれぞれへ対応する色のインクを供給する。
【００３２】
ここで、インク供給システムがヘッドユニットにインクを供給する構成の詳細について、図２を用いて説明しておく。図２は、インク供給システムとヘッドユニットの吐出ヘッドとを模式的に例示したブロック図である。インク供給システム７はインク流動制御機構７１を色毎に具備するが、インク流動制御機構７１の構成は各色で同様であるため、同図では１個のインク流動制御機構７１のみが模式的に例示されている。また、ヘッドユニット３６a〜３６fそれぞれが先端に具備する吐出ヘッド３６０の構成も各色で同様であるため、同図では１個の吐出ヘッド３６０のみが模式的に例示されている。
【００３３】
吐出ヘッド３６０は、ノズル形成面ＮＳに開口するノズルＮと、インクを一時的に貯留するリザーバーＲＳと、ノズルＮとリザーバーＲＳとを連通するキャビティＣＶとを有し、リザーバーＲＳからキャビティＣＶを介してノズルＮへインクが供給される。そして、キャビティＣＶがインクに圧力を加えることで、ノズルＮからインクが吐出される。
【００３４】
一方、インク供給システム７が内蔵するインク流動制御機構７１は、インクを貯留するタンク７１０（サブタンク）と吐出ヘッド３６０との間でインクを循環させる。具体的には、インク流動制御機構７１は、タンク７１０の他に、リザーバーＲＳとタンク７１０を接続する供給流路７１１（供給用配管）、供給流路７１１に設けられた循環ポンプ７１２、およびリザーバーＲＳとタンク７１０を接続する回収流路７１３（回収用配管）を有する。こうして、タンク７１０、供給流路７１１、リザーバーＲＳ、回収流路７１３およびタンク７１０をこの順番でインクが流動する循環経路７１Ｃが形成され、循環ポンプ７１２が順方向に回転することで、インクが循環経路７１Ｃを循環する。つまり、循環ポンプ７１２を順回転させることで、供給流路７１１（往路）を介してタンク７１０からリザーバーＲＳへインクを供給できるとともに、回収流路７１３（復路）を介してリザーバーＲＳからタンク７１０へインクを回収できる。
【００３５】
なお、供給流路７１１のうち、インク供給システム７のハウジング７０から出てヘッドユニット３６に到るまでは、可撓性の配管７１１aで構成されている。また、回収流路７１３のうち、ヘッドユニット３６から出てインク供給システム７のハウジング７０に到るまでは、可撓性の配管７１３aで構成されている。
【００３６】
また、インク流動制御機構７１は、供給流路７１１を開閉する弁７１４を有する。この弁７１４は、循環経路７１Ｃに沿って循環ポンプ７１２からリザーバーＲＳに到る途中に設けられている。したがって、弁７１４を開くことで、タンク７１０からリザーバーＲＳへのインクの供給を実行できるとともに、弁７１４を閉じることで、タンク７１０からリザーバーＲＳへのインクの供給を停止できる。
【００３７】
さらに、インク流動制御機構７１は、タンク７１０にインク（ＵＶインク）を供給するインク供給路７１５（インク供給用配管）と、タンク７１０内の圧力を調整する圧力調整流路７１６（圧力調整用配管）を有する。インク供給流路７１５は、カートリッジ保持部８に接続されており、カートリッジ保持部に装着されたインクカートリッジ内のインクパックからタンク７１０へインクを供給する。ちなみに、タンク７１０へ供給されるインクは、例えば２８℃〜４０℃において１５[ｍＰａ・ｓ]の粘度を有する。また、圧力調整流路７１６は、ポンプに接続されており、このポンプを回転させることでタンク７１０内の圧力を調整する。これによって、タンク７１０の圧力を、負圧・大気圧・正圧のそれぞれに調整することができる。
【００３８】
図１に戻って説明を続ける。上述したように６個のヘッドユニット３６ａ〜３６f、５個のＵＶ照射器３７ａ〜３７eおよび２個のインク供給システム７がキャリッジ５１に搭載されて、プロセスユニットＰＵが構成されている。なお、キャリッジ５１のＸ方向（搬送方向Ｄs）の両端部それぞれに対向して、Ｙ方向へ延びるガイドレール５２が配置されており、キャリッジ５１は、２本のレール５２に架け渡されている。したがって、キャリッジ５１は、ヘッドユニット３６a〜３６f、ＵＶ照射器３７a〜３７eおよびインク供給システム７を伴ってガイドレール５２上をＹ方向へ移動可能となっている。
【００３９】
また、プロセス部３では、ヘッドユニット３６fに対して搬送方向Ｄsの下流側には、本硬化用のＵＶ照射器３８が設けられている。したがって、ヘッドユニット３６fによってカラー画像に重ねて吐出されたクリアーのインクは、ＵＶ照射器３８からの紫外線を受けて本硬化する。なお、ＵＶ照射器３８は、キャリッジ５１には搭載されていない。
【００４０】
プロセス部３によりカラー画像の形成されたシートＳは、後駆動ローラー３２によって巻取部４へと搬送される。この巻取部４は、シートＳの端を巻き付けた巻取軸４０の他に、巻取軸４０と後駆動ローラー３２の間でシートＳを裏面側から巻き掛ける従動ローラー４１を有する。巻取軸４０は、シートＳの表面を外側に向けた状態で、シートＳの端を巻き取って支持する。つまり、巻取軸４０が図１の紙面において時計回りに回転すると、後駆動ローラー３２から搬送されてきたシートＳが従動ローラー４１を経由して巻取軸４０に巻き取られる。ちなみに、シートＳは、巻取軸４０に着脱可能な芯管（図示省略）を介して巻取軸４０に巻き取られる。したがって、巻取軸４０に巻き取られたシートＳが満杯になった際には、芯管ごとシートＳを取り外すことが可能となっている。
【００４１】
ところで、図３、図４等を用いて次に説明するように、上述のプリンター１には、カートリッジ保持部８が設けられており、各カートリッジ保持部８は、インクカートリッジ９を着脱可能に保持して、インクカートリッジ９に収容されたインクをサブタンク７１０へ供給する。特に、カートリッジ保持部８が保持可能なインクカートリッジ９の姿勢は２通りあり、インクカートリッジ９からインク供給が可能なインク供給姿勢（第１姿勢）、およびインク供給姿勢に対して上下反転した反転姿勢（第２姿勢）のいずれかの姿勢で、カートリッジ保持部８はインクカートリッジ９を保持可能である。続いては、かかるカートリッジ保持部８やインクカートリッジ９の詳細について説明する。
【００４２】
図３は、プリンター１の外観を例示する斜視図である。図４は、インクカートリッジ９を保持するカートリッジ保持部を例示する斜視図であり、特にインクカートリッジ９がインク供給姿勢で保持されている状態を例示する。図３に示すように、プリンター１のハウジング１０の右側（−Ｘ）の側面には、１２個のカートリッジ保持部８が、Ｚ方向に６行でＹ方向に２列のマトリックス状に配列されている。異なる行に属するカートリッジ保持部８は、異なる色のインクを収容するインクカートリッジ９を保持する。一方、同一行に属してＹ方向に隣り合う２個のカートリッジ保持部８は、同じ色のインクを収容するインクカートリッジ９を保持する。つまり、プリンター１は、１色につき複数（具体的には２個）のインクカートリッジ９を保持することができる。そのため、例えばある色について、一方のインクカートリッジ９に後述する撹拌等の作業を実行しながら、他方のインクカートリッジ９でサブタンク７１０へインクを供給して印刷を継続できる（すなわち、ホットスワップが実行可能である）。
【００４３】
図４に示すように、各カートリッジ保持部８は、−Ｘ方向へ開口する保持部本体８１と、保持部本体８１の開口Ａ81を開閉する扉８２とを有し、保持部本体８１内部の収容空間８０にインクカートリッジ９を着脱可能に収容する。開口Ａ81の−Ｙ側では蝶番８３１が保持部本体８１に取り付けられており、扉８２の端（閉状態での−Ｙ側の端）は蝶番８３１を介して保持部本体８１に接続される。したがって、扉８２は蝶番８３１を中心として１８０度の範囲で回動できる。こうして、蝶番８３１の機能によって、扉８２は保持部本体８１に開閉可能に取り付けられている。ちなみに、扉８２はハウジング１０に対してＹ方向の内側へ向けて開かれ、開状態にある扉８２がハウジング１０からＹ方向へ突出しないように構成されている。その結果、ハウジング１０の＋Ｙ側で作業をする作業者の邪魔にならずに、扉８２を開くことができる。
【００４４】
また、開口Ａ81の＋Ｙ側では、マグネットスイッチ８３２（電磁開閉器）が保持部本体８１に取り付けられており、マグネットスイッチ８３２の磁力によって、扉８２を閉状態に維持することができる。さらに、マグネットスイッチ８３２は、扉８２の開閉状態を示す開閉信号を制御部１００（図１）に出力し、制御部１００は、当該開閉信号に基づいて扉８２の状態を把握できる。そして、扉８２を開くことで、保持部本体８１の収容空間８０に対するインクカートリッジ９の着脱が可能となるとともに、扉８２を閉じることで、保持部本体８１の収容空間８０に対する作業者のアクセスを制限したり、収容空間８０への光の入射を制限したりすることができる。特に、収容空間８０への光の入射を制限することで、インクカートリッジ９が光に晒されるのを抑えて、インクカートリッジ９内に漏れ込んだ光によってインクカートリッジ９に収容される光硬化性インクが硬化することを抑制できる。
【００４５】
ちなみに、プリンター１では、１色につき２個のカートリッジ保持部８が設けられている。これに対して、共通の色に対応する２個のカートリッジ保持部８に対しては、共通の扉８２を設けるのではなく、１個のカートリッジ保持部８につき１枚の扉８２を設けている。そのため、インクカートリッジ９に対して後述する撹拌等の作業が必要なカートリッジ保持部８の扉８２のみを開くことができ、インクカートリッジ９が不要に光に晒されるのを抑制できる。
【００４６】
図５は、インクカートリッジの外観構成を例示する斜視図であり、インク供給姿勢にあるインクカートリッジ９の外観を例示する。インクカートリッジ９は、下側（−Ｚ側）の本体ケース９１と、本体ケース９１の上側（＋Ｚ側）に設けられて本体ケース９１を開閉可能な扉９２とを有し、本体ケース９１と扉９２とでカートリッジケースＣ9が構成されている。本体ケース９１および扉９２はアルミニウムを基材とする。具体的には、本体ケース９１の−Ｚ側の底部、＋Ｙ側の側部および−Ｙ側の側部は、それぞれアルミニウムで構成されている。また、閉状態における扉９２の＋Ｚ側の上部、＋Ｙ側の側部および−Ｙ側の側部も、それぞれアルミニウムで構成されている。ただし、本体ケース９１の＋Ｘ側の側部および−Ｘ側の側部には、樹脂部材９１p（プラスチック）が締結されており、閉状態における扉９２の＋Ｘ側の側部および−Ｘ側の側部には、樹脂部材９２p（プラスチック）が締結されている。これによって、Ｘ方向の両端における角部が樹脂部材９１p、９２pによって保護されている。
【００４７】
図５に示すように、本体ケース９１と扉９２とは、＋Ｙ側に設けられた２個の蝶番９３１により相互に接続されており、蝶番９３１の機能によって、扉９２は、本体ケース９１に開閉可能に取り付けられている。本体ケース９１の−Ｙ側には留め具９３２が取り付けられており、扉９２に留め具９３２を係合させることで、扉９２を閉状態に維持することができる。扉９２の上側（＋Ｚ側）の面には、凹状の取手９３３が設けられており、取手９３３を操作することで、作業者は扉９２を容易に開閉できる。また、本体ケース９１の−Ｘ側の面には、取手９３４が取り付けられており、作業者は、取手９３４を操作することで、後述するインクカートリッジ９の撹拌等を容易に実行できる。
【００４８】
図６は、図５のインクカートリッジに収容されるインクパックを例示する斜視図である。インクパック６は、可撓性の素材で構成されたパック本体６１内にインクを収容した概略構成を具備する。パック本体６１は、Ｚ方向に厚い胴部６１aと、Ｚ方向に窄みつつ胴部６１aから＋Ｘ方向に延びる肩部６１bと、肩部６１bの＋Ｘ方向の先端に設けられてＺ方向に薄い首部６１cとを有する。このインクパック６は、パック本体６１の他に、パック本体６１の＋Ｘ方向の首部６１cに取り付けられたインク供給口６２、識別用部材６３および誤装着防止部材６４を有する。インク供給口６２は、Ｙ方向の中央部に配置されて、パック本体６１から＋Ｘ方向へ突出する。
【００４９】
識別用部材６３は、識別用ＩＣ(Integrated Circuit)６３１と、識別用ＩＣ６３１をパック本体６１に取り付ける取付具６３２と、取付具６３２から下側（−Ｚ側）に突出する２本のピン６３３とを有する。識別用ＩＣ６３１には、インクパック６が収容するインクの量やインク使用履歴を記憶するメモリー回路、およびメモリー回路へのアクセスを制御するインターフェース回路等が搭載されている。
【００５０】
誤装着防止部材６４は、嵌合部６４１と、嵌合部６４１をパック本体６１に取り付ける取付具６４２と、取付具６４２から下側（−Ｚ側）に突出する２本のピン６４３とを有する。嵌合部６４１は、インクパック６が収容するインクの色に固有の形状を有し、後述するように、カートリッジ保持部８に対応する色とは異なる色のインクを収容するインクパック６がカートリッジ保持部８に装着されるのを防止するために用いられる。
【００５１】
そして、図５のインクカートリッジ９に、図６のインクパック６が着脱可能に保持される。続いては、作業者がインクカートリッジ９にインクパックを装着する手順の説明を通して、インクカートリッジおよびインクパックの構成を詳述する。
【００５２】
図７、図８および図９は、インクパックが取り外された状態におけるインクカートリッジを例示する図である。特に、図７は、扉９２が開いたインクカートリッジ９を例示する斜視図であり、図８は、−Ｘ側から見たインクカートリッジ９の内部構成を例示する図であり、図９は、扉９２が閉じたインクカートリッジ９を例示する部分断面図である。なお、これらの図で座標が示す方向は、カートリッジ保持部８にインク供給姿勢でインクカートリッジ９を装着した場合に対応する。
【００５３】
インクカートリッジ９は、本体ケース９１と扉９２で構成されるカートリッジケースＣ9を備え、扉９２を閉じることで本体ケース９１と扉９２の内部に形成される収容空間９０にインクパック６を保持する。こうして、カートリッジケースＣ9でインクパック６を覆うことで、外部の光からインクパックを保護することができると共にインクパック６の取り扱いを容易にすることができる。インクカートリッジ９の本体ケース９１は、底部９１aおよび側部９１b〜９１dにより収容空間９０を下側から囲む。底部９１aは、平板形状を有するアルミニウム製の金属部材で構成されており、インクカートリッジ９の−Ｚ側の底面を構成する。側部９１bおよび側部９１cは互いにＸ方向から対向して、インクカートリッジ９の＋Ｘ側および−Ｘ側の面をそれぞれ構成する。なお、側部９１bには、Ｙ方向に延びるスリット状の開口９３５と円形状の開口９３６とが、Ｚ方向に並びつつＸ方向に貫通している。さらに、側部９１bでは、＋Ｙ側の端に配置された開口Ａ63および−Ｙ側の端に配置された開口Ａ64が、それぞれＸ方向に貫通している。また、側部９１dおよび側部９１eはアルミニウム製の金属部材であり、互いにＹ方向から対向して、インクカートリッジ９の＋Ｙ側および−Ｙ側の面をそれぞれ構成する。
【００５４】
インクカートリッジ９の底部９１aには、アルミニウム製の傾斜部材９４が上側（＋Ｚ側）から取り付けられている。この傾斜部材９４は、上側からインクパック６が載置される載置板９４１と、載置されたインクパック６のＹ方向へのずれを抑制する突出板９４２とを有する。載置板９４１は、＋Ｘ側へ向かうに連れて下がるように底部９１aに対して傾斜している。突出板９４２は、Ｙ方向の両端のそれぞれにおいて載置板９４１に対して垂直に設けられて、インクパック６が載置される側へ向けて載置板９４１から突出する。
【００５５】
また、インクカートリッジ９の底部９１aには、傾斜部材９４に＋Ｘ側から接続されて、傾斜部材９４と一体形成されたアルミニウム製の屈曲部材９５が取り付けられている。屈曲部材９５は、底部９１aから立設しつつ＋Ｘ側に向けて傾斜する傾斜板９５１と、傾斜板９５１の上側（＋Ｚ側）の端から＋Ｘ側へ水平に延びる平板９５２とを有する。かかる屈曲部材９５は、インクパック６の肩部６１bから首部６１cへの形状に沿って屈曲した形状を有しており、傾斜板９５１でインクパック６の肩部６１bを下側（−Ｚ側）から支持するとともに、平板９５２でインクパックの首部６１cを下側（−Ｚ側）から支持する。
【００５６】
さらに、インクカートリッジ９の底部９１aには、屈曲部材９５に対してＸ方向へ部分的に重複しつつ＋Ｘ側から隣り合う取付部９６が設けられている。取付部９６は、インクパック６の首部６１cを本体ケース９１に対して保持するために設けられている。取付部９６は、屈曲部材９５の平板９５２から＋Ｘ方向に延設された支持平板９６１と、支持平板９６１を底部９１aに対して固定する固定具９６２とを有する。支持平板９６１は、Ｙ方向に長尺な形状を有し、収容空間９０のＹ方向の略全域に渡って設けられている。この支持平板９６１には、識別用部材６３に対して設けられたピン６３３が係合可能な孔９６１aと、誤装着防止部材６４に対して設けられたピン６４３が係合可能な孔９６１bとが空いている。また、この支持平板９６１には、上側（＋Ｚ側）へ突出するピン９６１cおよびネジ孔９６１dが設けられている。具体的には、平板９６１の上側（＋Ｚ側）の面では、２個のピン９６１cがＹ方向に並ぶとともに、２個のネジ孔９６１dがＹ方向に並ぶ。
【００５７】
さらに、取付部９６は、支持平板９６１の＋Ｘ側に配置されてＺ方向に立設する供給口係合板９６３と、供給口係合板９６３を本体ケース９１に固定する固定具９６４とを有する。供給口係合板９６３はＹ方向に長尺な形状を有し、収容空間９０のＹ方向の略全域に渡って設けられている。この供給口係合板９６３は、上側（＋Ｚ側）に開口する係合凹部９６３aをＹ方向の略中央に有する。この係合凹部９６３aは、本体ケース９１の側部９１bに設けられた開口９３６にＸ方向から対向する。そして、インクパック６のインク供給口６２は、係合凹部９６３aに上側（＋Ｚ側）から係合して、供給口係合板９６３により下側（−Ｚ側）から支持される。ちなみに、上述した２個のピン９６１cは、Ｘ方向において中央に係合凹部９６３aを挟んで配置され、２個のネジ孔９６１dは、Ｘ方向において中央に係合凹部９６３aを挟んで配置されている。
【００５８】
図１０、図１１および図１２は、インクパックが載置された状態におけるインクカートリッジを例示する図である。特に、図１０は、扉９２が開いたインクカートリッジ９を例示する斜視図であり、図１１は、＋Ｘ側から見たインクカートリッジ９の内部構成を例示する図であり、図１２は、扉９２が閉じたインクカートリッジ９を例示する部分断面図である。なお、これらの図で座標が示す方向は、カートリッジ保持部８にインク供給姿勢でインクカートリッジ９を装着した場合に対応する。
【００５９】
これらの図に示すように、インクカートリッジ９にインクパック６を収容するにあたっては、インクパック６のパック本体６１が傾斜部材９４の載置板９４１に載置される。上述のとおり、載置板９４１は傾斜しているため、パック本体６１は＋Ｘ側へ向かうに連れて下がるように底部９１aに対して傾斜する。こうして、インクパック６はインク供給口６２を下側にして支持されて、インクパック６内のインクを自重によってインク供給口６２へ導くことが可能となっている。
【００６０】
また、インクパック６のインク供給口６２は、供給口係合板９６３の係合凹部９６３aに係合する。これによって、インク供給口６２が本体ケース９１に対して位置決めされる。上述のとおり、係合凹部９６３aは、本体ケース９１の側部９１bに設けられた開口９３６にＸ方向から対向するため、インク供給口６２は、開口９３６にＸ方向から対向して、開口９３６を介して本体ケース９１の外部に露出する。
【００６１】
さらに、インクパック６の識別用部材６３に対して設けられたピン６３３は、支持平板９６１の孔９６１aに係合する。これによって、識別用部材６３が本体ケース９１に対して位置決めされて、側部９１bを貫通する開口Ａ63にＸ方向から対向する。同様に、インクパック６の誤装着防止部材６４に対して設けられたピン６４３は、支持平板９６１の孔９６１bに係合する。これによって、誤装着防止部材６４が本体ケース９１に対して位置決めされて、側部９１bを貫通するＡ64にＸ方向から対向する。
【００６２】
作業者は、図１０〜図１２に示すようにインクパック６をインクカートリッジ内に載置すると、続いてインクパック６を本体ケース９に固定する。図１３、図１４および図１５は、インクパックが固定された状態におけるインクカートリッジを例示する図である。特に、図１３は、扉９２が開いたインクカートリッジ９を例示する斜視図であり、図１４は、＋Ｘ側から見たインクカートリッジ９の内部構成を例示する図であり、図１５は、扉９２が閉じたインクカートリッジ９を例示する部分断面図である。なお、これらの図で座標が示す方向は、カートリッジ保持部８にインク供給姿勢でインクカートリッジ９を装着した場合に対応する。
【００６３】
これらの図に示すように、インクカートリッジ９にインクパック６を固定するにあたっては、アルミニウム製のインクパック保持部材９７が用いられる。インクパック保持部材９７は、パック本体６１に上側（＋Ｚ側）から載置されて用いられる。この際、インクパック保持部材９７を貫通する孔９７１aを支持平板９６１のピン９６１cの先端に係合させることで、インクパック保持部材９７は本体ケース９１に位置決めされた状態で、パック本体６１に載置される。さらに、支持平板９６１に設けられたネジ孔９６１dにネジ９８をねじ込むと、インクパック保持部９７は、ネジ９８のネジ頭によって下側（−Ｚ側）へ押圧されつつ、ピン９６１cによって下側（−Ｚ側）から支持される。こうして、インクパック保持部９７が本体ケース９１に対して固定される。
【００６４】
インクパック保持部材９７は、パック本体６１の首部６１cの上側（＋Ｚ側）に配置される挟持板９７１を有する。この挟持板９７１は、固定部９７１０と、固定部９７１０のＹ方向の中央に設けられた第１挟持部９７１１と、固定部９７１０の−Ｙ側に設けられた第２挟持部９７１２と、固定部９７１０の＋Ｙ側に設けられた第３挟持部９７１３とを一体形成した構成を有する。固定部９７１０は平板形状を有しており、ピン９６１cやネジ９８のネジ頭に当接しつつこれらに支持される。つまり、インクパック保持部材９７は、固定部９７１０にて本体ケース９１に対して固定される。
【００６５】
第１挟持部９７１１は、係合凹部９６３aの上側（＋Ｚ側）に位置しつつ、固定部９７１０より下側（−Ｚ側）に若干突出して板バネとして機能する。そして、この第１挟持部９７１１は、係合凹部９６３aに係合するインク供給口６２を、係合凹部９６３aとの間に挟持する。これによって、インク供給口６２が本体ケース９１に対して固定される。
【００６６】
第２挟持部９７１２は、識別用部材６３の取付具６３２の上側（＋Ｚ側）に位置しつつ、固定部９７１０との間の段差を介して固定部９７１０より下側（−Ｚ側）に突出して板バネとして機能する。そして、この第２挟持部９７１２は、支持平板９６１に係合する識別用部材６３を支持平板９６１との間に挟持する。これによって、識別用部材６３が本体ケース９１に対して固定される。
【００６７】
第３挟持部９７１３は、誤装着防止部材６４の取付具６４２の上側（＋Ｚ側）に位置しつつ、固定部９７１０との間の段差を介して固定部９７１０より下側（−Ｚ側）に突出して板バネとして機能する。そして、この第３挟持部は、支持平板９６１に係合する誤装着防止部材６４を支持平板９６１との間に挟持する。これによって、誤装着防止部材６４が本体ケース９１に対して固定される。
【００６８】
また、インクパック保持部材９７は、挟持板９７１と一体形成された支持板９７２を有する。この支持板９７２は、挟持板９７１から−Ｘ側に突出しつつ斜め上側（＋Ｚ側）に延びて、パック本体６１の肩部６１bの上側（＋Ｚ側）に＋Ｘ側から接する。かかる支持板９７２は、作業者がインクカートリッジ９を運搬するとき等に効果的に機能する。つまり、インクカートリッジの−Ｘ側の側部９１cには、取手９３４が取り付けられている。そのため、作業者が取手９３４を把持してインクカートリッジ９を運搬する際には、図１３〜図１５に示した−Ｘ側が上側を向き、＋Ｘ側が下側を向く。したがって、＋Ｘ側からインクパック６に接する支持板９７２を設けておけば、インクパック６を下側から支持することができ、運搬中のインクカートリッジ９内に収容されたインクパック６を安定させることができる。
【００６９】
さらに、この支持板９７２と同様の機能を、屈曲部材９５の傾斜板９５１も発揮することができる。つまり、傾斜板９５１は、パック本体６１の肩部６１bの下側（−Ｚ側）に＋Ｘ側から対向する。したがって、作業者が取手９３４を把持してインクカートリッジ９を運搬する際には、傾斜板９５１によってインクパック６を下側から支持することができ、運搬中のインクカートリッジ９内に収容されたインクパック６を安定させることができる。
【００７０】
このように、インクパック６をインクカートリッジ９に装着する際には、インクパック６がインクカートリッジ９内に載置される。続いて、インクパック保持部材９をインクパック６に載置してねじ止めすることで、インクパック６のインク供給口６２、識別用部材６３および誤装着防止部材６４が挟持されて、インクパック６がインクカートリッジ９に保持される。一方、ねじ止めを外してインクパック保持部材９を外すことで、インクパック６をインクカートリッジ９から取り外すことができる。
【００７１】
図４を用いて上述したように、カートリッジ保持部８は、このようなインクカートリッジ９を着脱可能に保持する。続いては、カートリッジ保持部８によるインクカートリッジ９の保持機構や、カートリッジ保持部８とインクカートリッジ９の関係の詳細について説明する。図１６および図１７は、カートリッジ保持部８を部分的に例示する斜視図であり、図１７では、側壁８１b、８１cを取り払った状態が示されている。カートリッジ保持部８の保持部本体８１は、＋Ｘ側の奥壁８１aおよびＹ方向から互いに対向する側壁８１b、８１cによって収容空間８０を側方から囲う。また、カートリッジ保持部８は、収容空間８０の下部に配置されたトレイ８４を有する。トレイ８４は、載置されたインクカートリッジ９を保持可能であるとともに、側壁８１b、８１cの内側に取り付けられたレール８５によって保持部本体８１に対してＸ方向に移動可能である。したがって、作業者は、保持部本体８１から−Ｘ側に引き出したトレイ８４にインクカートリッジ９を載置してから、インクカートリッジ９を伴ってトレイ８４を＋Ｘ側に移動させることで、カートリッジ保持部８の収容空間８０にインクカートリッジ９を収容できる。なお、トレイ８４は、インクカートリッジ９を保持する役割の他、何らかの原因でインクカートリッジ９から流出したインクを受けるインク受け（オイルパン）としての役割も果たす。
【００７２】
カートリッジ保持部８の奥壁８１aには、インク供給針８６１、ＩＣリーダー８６３、誤装着防止部材８６４、ピン８６５およびストッパー８６６が−Ｘ側に突出する。インク供給針８６１はインクタンク７１０（図２）に接続された中空の針で、インク供給姿勢でトレイ８４に載置されたインクカートリッジ９の開口９３６にＸ方向から対向する。ＩＣリーダー８６３は、インクパック６の識別用ＩＣ６３にアクセスして情報のリードおよびライトを実行可能であり、インク供給姿勢でトレイ８４に載置されたインクカートリッジ９の開口Ａ63にＸ方向から対向する。誤装着防止部材８６４（保持部側誤装着防止部材）は、インクの色に固有の形状を有しており、対応する色に応じた形状の誤装着防止部材６４の嵌合部６４１にのみ嵌合可能であって、インク供給姿勢でトレイ８４に載置されたインクカートリッジ９の開口Ａ64にＸ方向から対向する。ピン８６５は、インク供給姿勢でトレイ８４に載置されたインクカートリッジ９に係合して、インクカートリッジ９をカートリッジ保持部８に対して位置決めするために用いられる。ストッパー８６６は、インク供給針８６１、ＩＣリーダー８６３、誤装着防止部材８６４およびピン８６５よりも奥壁８１aを起点に−Ｘ方向に長い（換言すれば、最も−Ｘ側に突出している）。かかるストッパー８６６は、インク供給姿勢でトレイ８４に載置されたインクカートリッジ９の開口９３５にＸ方向から対向する一方、反転姿勢でトレイ８４に載置されたインクカートリッジ９の開口９３５にはＸ方向から対向せずに、Ｚ方向へ外れる。
【００７３】
かかる構成を具備するカートリッジ保持部８に対して、インク供給姿勢のインクカートリッジ９をインク供給位置にまで挿入することで、インクカートリッジ９からインクを供給することが可能となる。図１８は、インク供給姿勢のインクカートリッジをカートリッジ保持部に対してインク供給位置の手前まで挿入した状態を例示する斜視図であり、図１９は、インク供給姿勢のインクカートリッジをカートリッジ保持部に対してインク供給位置の手前まで挿入した状態を例示する部分拡大斜視図である。図２０は、インク供給姿勢のインクカートリッジをカートリッジ保持部に対してインク供給位置まで挿入した状態を例示する斜視図である。図２１は、インク供給姿勢のインクカートリッジをカートリッジ保持部に対してインク供給位置まで挿入した状態を例示する部分拡大斜視図である。
【００７４】
トレイ８４によってインクカートリッジ９を＋Ｘ側へ移動させると、図１８および図１９に示すように、インク供給針８６１、ＩＣリーダー８６３および誤装着防止部材８６４が、それぞれ開口９３６、Ａ63、Ａ64を介してインクカートリッジ９内に進入する。これと並行して、ストッパー８６６が開口９３５を介してインクカートリッジ９内に進入する。さらに、トレイ８４によってインクカートリッジ９を＋Ｘ側へ移動させると、インクカートリッジ９をインク供給位置Ｐsに位置させることができる（図２０、図２１）。
【００７５】
インクカートリッジ９がインク供給位置Ｐsに位置する状態では、ピン８６５がインクカートリッジ９に係合して、インクカートリッジ９をカートリッジ保持部８に対して位置決めする。また、開口９３６を介して進入したインク供給針８６１はインクパック６のインク供給口６２に刺さって（接続されて）、インクパック６内のインクをサブタンク７１０（図２）へ供給できる。
【００７６】
開口Ａ63を介して進入したＩＣリーダー８６３は、識別用部材６３の識別用ＩＣ６３１に接続されて、識別用ＩＣ６３１のメモリーに対してリードあるいはライトを実行する。この際、ＩＣリーダー８６３は、メモリーから読み出した情報を制御部１００（図１）に出力する。したがって、制御部１００は、ＩＣリーダー８６３からの情報に基づいて、インクカーリッジ９がインク供給位置Ｐsにセットされたことや、当該インクカートリッジ９に収容されるインクの量や使用履歴を知ることができる。ちなみに、制御部１００は、ＩＣリーダー８６３からの情報に基づいてインクカートリッジ９のインク供給位置Ｐsへのセットを確認するとともに、マグネットスイッチ８３２からの情報に基づいて扉８２の閉状態を確認すると、インクカートリッジ９からサブタンク７１０のインク供給を許可する。
【００７７】
開口Ａ64を介して進入した誤挿入防止部材８６４は、誤挿入防止部材６４の嵌合部６４１に嵌合して接続される。ただし、誤挿入防止部材８６４、６４は、互いに同一の色に対応する場合にのみ相互に接続され、そうでない場合は接続されない。つまり、カートリッジ保持部８に対して当該カートリッジ保持部８に対応する色のインクを収容するインクカートリッジ９が挿入された場合にのみ、誤挿入防止部材８６４、６４は相互に接続される。一方、カートリッジ保持部８に対して当該カートリッジ保持部８に対応しない色のインクを収容するインクカートリッジ９が挿入された場合には、誤挿入防止部材８６４、６４は相互に接続されず、インクカートリッジ９をインク供給位置Ｐsまで挿入できない。したがって、インクカートリッジ９をカートリッジ保持部８に装着する作業者は、インクカートリッジ９に収容されるインクの色が誤っていることに容易に気付くことができる。
【００７８】
ちなみに、上述したように、カートリッジ保持部８はインク供給姿勢（すなわち、扉９２が上側（＋Ｚ側）に位置し、本体ケース９１が下側（−Ｚ側）に位置する姿勢）と、反転姿勢（すなわち、本体ケース９１が上側（＋Ｚ側）に位置し、扉９２が下側（−Ｚ側）に位置する姿勢）でインクカートリッジ９を保持できる。図２２は、反転姿勢のインクカートリッジをカートリッジ保持部に保持した状態を例示する斜視図である。上述したように、インクカートリッジ９が反転姿勢にある状態では、ストッパー８６６は、インクカートリッジ９の開口９３５に対して対向せずにＺ方向へ外れる。したがって、＋Ｘ側へ向けて挿入されたインクカートリッジ９は、その側部９１bでストッパー８６６に接触する。つまり、ストッパー８６６は、インク供給位置Ｐsに移動してくるインクカートリッジ９に接触して、インク供給針８６１、ＩＣリーダー８６３および誤装着防止部材８６４からインクカートリッジ９をＸ方向へ離隔させる。
【００７９】
このように、インクカートリッジ９は、インク供給姿勢および反転姿勢の異なる２通りの姿勢でカートリッジ保持部８に保持することができる。したがって、図２３に示すように、各姿勢でインクカートリッジ９をカートリッジ保持部で保持しつつ、インクカートリッジ９を移動させることができる。図２３は、インクカートリッジをカートリッジ保持部に対して移動させる動作態様を例示する模式図である。同図（Ａ）（Ｂ）では、インク供給姿勢でカートリッジ保持部８に保持されるインクカートリッジ９が示され、同図（Ｃ）（Ｄ）では、反転姿勢でカートリッジ保持部８に保持されるインクカートリッジが示される。
【００８０】
図２３（Ａ）に示すように、保持部本体８１から−Ｘ側に引き出されたトレイ８４に対して、インク供給姿勢のインクカートリッジ９を着脱できる。そして、着脱位置Ｐaでトレイ８４に載置されたインクカートリッジ９は、インク供給姿勢を取っているため、ストッパー８６６に移動を規制されることなく、＋Ｘ側のインク供給位置Ｐsまで移動できる（図２３（Ｂ））。また、上述したとおり、インク供給姿勢でインク供給位置Ｐsに位置するインクカートリッジ９に対しては、ストッパー８６６が開口９３５から進入するとともに、インク供給針８６１、ＩＣリーダー８６３および誤装着防止部材８６４が進入してインクパック６にアクセスする。
【００８１】
また、図２３（Ｃ）に示すように、保持部本体８１から−Ｘ側に引き出されたトレイ８４に対して、反転姿勢のインクカートリッジ９を着脱できる。ただし、着脱位置Ｐaでトレイ８４に載置されたインクカートリッジ９は、反転姿勢を取っているため、＋Ｘ側のインク供給位置Ｐsに移動する途中でストッパー８６６に接触する（図２３（Ｄ））。こうして、インクカートリッジ９は、規制位置Ｐeより＋Ｘ側へ移動することができず、インク供給針８６１、ＩＣリーダー８６３および誤装着防止部材８６４からＸ方向に離隔される。ただし、カートリッジ保持部８に反転姿勢で保持されたインクカートリッジ９も、規制位置Ｐeより−Ｘ側の範囲では移動可能である。
【００８２】
このように、カートリッジ保持部８に保持されたインクカートリッジ９を、インク供給姿勢および反転姿勢のいずれの姿勢においてもＸ方向へ移動させることができる。したがって、作業者は、インクカートリッジ９をＸ方向へ往復移動させてインクカートリッジ９内のインクパック６に収容されたインクを撹拌する作業を、インク供給姿勢および反転姿勢のそれぞれで実行できる。このように、上下に互いに反転する各姿勢で撹拌を行うことができるため、インクに含有される顔料の沈殿を効果的に解消することができる。特に、ホワイトのインクの顔料は沈殿しやすいが、かかる構成によれば、ホワイトの顔料の沈殿も効果的に解消することができる。しかも、カートリッジ保持部８にインクカートリッジ９を保持しつつ、各姿勢でインクカートリッジ９を移動させることができるため、撹拌作業を安定して行えるといった利点もある。
【００８３】
以上に説明したように構成された本実施形態では、カートリッジ保持部８は、インクカートリッジ９からインクを供給できるインク供給位置Ｐsに対してインクカートリッジ９を移動可能に保持する。また、インク供給針８６１、ＩＣリーダー８６３および誤装着防止部材８６４は、カートリッジ保持部８にインク供給姿勢で保持されて移動するインクカートリッジ９に挿脱可能であり、インク供給位置Ｐsにてインク供給姿勢で保持されたインクカートリッジ９内に少なくとも一部が位置する。したがって、インクカートリッジ９をインク供給姿勢で保持しておけば、インク供給針８６１、ＩＣリーダー８６３および誤装着防止部材８６４の干渉を生じることなくインクカートリッジ９をインク供給位置Ｐsまで移動させて、インクカートリッジ９内にインク供給針８６１、ＩＣリーダー８６３および誤装着防止部材８６４の少なくとも一部を位置させることができる。
【００８４】
ちなみに、本実施形態では、ストッパー８６６と側部９１bとが協働して、インクカートリッジ９の移動を規制する規制機構を構成する（以後、ストッパー８６６を規制機構８６６、側部９１bを規制機構９１bと記載する場合もある）。ただし、かかる規制機構８６６、９１bは、インク供給姿勢でカートリッジ保持部８に保持されたインクカートリッジ９がインク供給位置Ｐsに移動するのに伴ってインク供給針８６１、ＩＣリーダー８６３および誤装着防止部材８６４がインクカートリッジ９に進入することを許容する。したがって、インクカートリッジ９をインク供給姿勢で保持しておけば、インク供給針８６１、ＩＣリーダー８６３および誤装着防止部材８６４の干渉を生じることなくインクカートリッジ９をインク供給位置Ｐsに位置させて、インク供給針８６１、ＩＣリーダー８６３および誤装着防止部材８６４の少なくとも一部をインクカートリッジ９内に位置させることができる。
【００８５】
一方で、インク供給姿勢と異なる反転姿勢でカートリッジ保持部８に保持されたインクカートリッジ９の移動は規制機構８６６、９１bによって規制され、インクカートリッジ９はインク供給針８６１、ＩＣリーダー８６３および誤装着防止部材８６４から離隔される。したがって、インクカートリッジ９を反転姿勢で保持した場合には、インク供給針８６１、ＩＣリーダー８６３および誤装着防止部材８６４がインクカートリッジ９の外側やインクカートリッジ９内の部品に干渉（接触）することが防止されている。このようにして、本実施形態では、インクカートリッジ９の姿勢に依らず、インク供給針８６１、ＩＣリーダー８６３および誤装着防止部材８６４がインクカートリッジ９の外側あるいはインクカートリッジ９内の部品と干渉して破損することが防止されている。
【００８６】
ところで、本実施形態では、カートリッジ保持部８は、インク供給姿勢で保持されたインクカートリッジ９を移動可能に保持する。したがって、インク供給姿勢で保持されたインクカートリッジを適宜移動させて、インクカートリッジに収容されるインクを撹拌することができる。この際、反転姿勢で保持されたインクカートリッジについても、適宜移動させてインクの撹拌をできることが好ましい。なぜなら、インクカートリッジ９のインク供給姿勢と反転姿勢の両方でインクを撹拌して、効果的なインクの撹拌が可能となるからである。ただし、規制機構８６６、９１bが設けられているため、反転姿勢で保持されたインクカートリッジ９の移動は、インク供給針８６１、ＩＣリーダー８６３および誤装着防止部材８６４から離隔するように少なくとも部分的には規制される。
【００８７】
つまり、カートリッジ保持部８は、反転姿勢で保持されたインクカートリッジ９をインク供給針８６１、ＩＣリーダー８６３および誤装着防止部材８６４から離隔した範囲で移動可能に保持する。このように構成することで、規制機構８６６、９１bに依らず、反転姿勢で保持されたインクカートリッジ９を適宜移動させて、インクカートリッジ９に収容されるインクを撹拌することができる。その結果、インクカートリッジ９のインク供給姿勢と反転姿勢の両方でインクを撹拌して、効果的な液体の撹拌が可能となっている。
【００８８】
また、本実施形態では、インクカートリッジ９は取手９３４を有し、カートリッジ保持部８に保持されたインクカートリッジ９の取手９３４を操作して、インクカートリッジ９を移動できる。かかる構成では、作業者はインクカートリッジ９の取手を操作することで、インクカートリッジ９を移動させることができ、作業者の操作性が向上する。
【００８９】
ちなみに、本実施形態では、インク供給針８６１、ＩＣリーダー８６３および誤装着防止部材８６４それぞれの少なくとも一部は、インク供給位置Ｐsにてインク供給姿勢で保持されたインクカートリッジ９内に位置して、インクカートリッジ９に収容されたインクパック６に接続される。このようにインクパック６に接続されるようにインク供給針８６１、ＩＣリーダー８６３および誤装着防止部材８６４が設けられている場合、反転姿勢で保持されるインクカートリッジ内にこれらが進入すると、これらによってインクパック６が破損されて、インクパック６からインクが漏れるおそれがある。また、インクパック６の破損のみならず、インク供給針８６１、ＩＣリーダー８６３、誤装着防止部材８６４、識別用部材６３および誤装着防止部材６４の破損を生じる恐れもある。これに対して、本実施形態によれば、反転姿勢で保持されたインクカートリッジ９は規制機構８６６、９１bによってインク供給針８６１、ＩＣリーダー８６３および誤装着防止部材８６４から離隔されるため、これらによるインクパック６の破損によりインクパック６からインクが漏れることを防止できると共に、インク供給針８６１、ＩＣリーダー８６３、誤装着防止部材８６４、識別用部材６３および誤装着防止部材６４の破損を防止できる。
【００９０】
また、本実施形態では、カートリッジ保持部８は、インクカートリッジ９が着脱可能に載置される移動可能なトレイ８４を有する。そして、トレイ８４に載置されたインクカートリッジ９がトレイ８４に伴って移動する。かかる構成では、トレイ８４によってインクカートリッジ９をしっかりと保持しつつ、トレイ８４に伴ってインクカートリッジ９を移動させることができ、インクカートリッジ９の移動を安定的に実行することができる。
【００９１】
また、本実施形態では、ストッパー８６６と、ストッパー８６６が挿脱可能な開口９３５が設けられていた。そして、開口９３５がインクカートリッジ９に設けられて、ストッパー８６６がカートリッジ保持部８に設けられており、インクカートリッジ９がインク供給位置Ｐsへ移動するのに伴ってストッパー８６６と開口９３５とが相対的に近づくように構成されている。そして、カートリッジ保持部８にインク供給姿勢で保持されたインクカートリッジ９がインク供給位置Ｐsに移動すると、ストッパー８６６は開口９３５に入って、インク供給針８６１、ＩＣリーダー８６３および誤装着防止部材８６４がインクカートリッジ９に進入することを許容する。一方で、カートリッジ保持部８に反転姿勢で保持されたインクカートリッジ９がインク供給位置Ｐsへ移動してくると、ストッパー８６６は、開口９３５が設けられたインクカートリッジ９の側部９１bに接して、インク供給針８６１、ＩＣリーダー８６３および誤装着防止部材８６４からインクカートリッジ９を離隔させる。こうして、本実施形態では、ストッパー８６６と側部９１bによって規制機構の機能を簡便に実現している。
【００９２】
このように、本実施形態では、プリンター１が本発明の「画像記録装置」の一例に相当し、インクカートリッジ９が本発明の「液体カートリッジ」の一例に相当し、インク供給位置Ｐsが本発明の「液体供給位置」の一例に相当し、カートリッジ保持部８が本発明の「カートリッジ保持部」の一例に相当し、インク供給針８６１、ＩＣリーダー８６３および誤装着防止部材８６４のそれぞれが本発明の「進入部材」の一例に相当し、ストッパー８６６と側部９１bが協働して本発明の「規制部」の一例として機能し、取手９３４が本発明の「取手」の一例に相当し、インク供給針８６１が本発明の「液体供給針」の一例に相当し、ＩＣリーダー８６３が本発明の「リーダー」の一例に相当し、誤装着防止部材８６４が本発明の「誤装着防止部材」の一例に相当し、ストッパー８６６が本発明の「突出部」の一例に相当し、開口９３５が本発明の「被挿脱部」の一例に相当し、インク供給姿勢が本発明の「第１姿勢」に相当し、反転姿勢が本発明の「第２姿勢」に相当する。
【００９３】
なお、本発明は上記実施形態に限定されるものではなく、その趣旨を逸脱しない限りにおいて上述したものに対して種々の変更を加えることが可能である。したがって、図２４に示すようにインクカートリッジを構成しても良い。図２４は、インクパックが固定された状態におけるインクカートリッジの変形例を示す部分断面図である。なお、同図で座標が示す方向は、カートリッジ保持部８にインク供給姿勢でインクカートリッジ９を装着した場合に対応する。ここでは、変形例と上記の例との差異点を中心に説明して、共通点については相当符号を付して説明を省略する。同図に示すように、インクカートリッジ９では、扉９２の内側に支持板９２１が取り付けられている。扉９２を閉じた状態において、この支持板９２１は、扉９２から−Ｘ側に突出しつつ斜め下側（−Ｚ側）に延びて、傾斜部材９４に載置されたパック本体６１の胴部６１aの上側（＋Ｚ側）に−Ｘ側から接する。したがって、例えば、−Ｘ側の側部９１cを下側にしてインクカートリッジ９が落下したような場合等には、支持板９２１がインクパック６を下側から支持して、インクパック６にかかる衝撃を緩和できるといった利点がある。
【００９４】
さらに、図２４の変形例では、インクカートリッジ９の底部９１aにインク排出孔Ａ91が貫通する。したがって、何らかの原因でインクパック６からインクが流出した場合は、このインクをインク排出口Ａ91からインクカートリッジ９の外へ排出することが可能となっている。この際、こうして排出されたインクが、カートリッジ保持部８のトレイ８４を介して排インク回収部に回収されるように構成することもできる。ちなみに、インク排出孔Ａ91の位置は適宜変更できるが、この変形例では、インク排出孔Ａ91は載置板９４１の下端のやや＋Ｘ側に設けられており、例えばインクパック６から流出して載置板９４１を伝って流れてきたインクが集まる位置に設けられている。
【００９５】
このように、本体ケース９１の底部に、インクパック６から流出したインクを排出可能なインク排出孔Ａ91を設けた構成では、インクパック６から流出したインクを本体ケース９１から排出することができる。そのため、扉９２を開いた際に本体ケース９１に残存するインクの量を減少させることができ、インクカートリッジ９の温度上昇を効果的に抑制できる。
【００９６】
また、本発明の「規制部」を具現する構成は、上記の例に限られない。したがって、例えば、開口９３５をカートリッジ保持部８に設けて、ストッパー８６６をインクカートリッジ９に設けても構わない。あるいは、ストッパー８６６と開口９３５とを用いた構成とは異なる構成で、「規制機構」を具現しても良い。
【００９７】
また、上記実施形態では、インク供給針８６１、ＩＣリーダー８６３および誤装着防止部材８６４のそれぞれが本発明の「進入部材」に相当していた。しかし、これら以外の部材を「進入部材」として構成しても構わない。
【００９８】
また、インクカートリッジ９を構成する素材は、上記のアルミニウムのような軽金属に限られず、鉄などの他の金属や、樹脂などの他の素材であっても良い。インクカートリッジ９の寸法、形状等についても適宜変更が可能であり、インクカートリッジ９に設けられた取手９３４の位置、寸法、形状等について適宜変更が可能である。あるいは、取手９３４をインクカートリッジ９から排しても構わない。
【００９９】
インクカートリッジ９を構成する各部品の構成態様も、上記のものに限られない。例えば、インクパック６を保持する挟持板９７１は、本体ケース９１から完全に取り外せるように本体ケースと別体で構成されていたが、挟持板９７１を本体ケース９１と一体形成しても構わない。あるいは、上記実施形態で一体形成されていた各部品をそれぞれ別体で形成しても構わないし、上記実施形態で別体で形成されていた部品をそれぞれ一体で形成しても構わない。
【０１００】
インクカートリッジ９を保持するカートリッジ保持部８の具体的構成についても適宜変更が可能である。したがって、インクカートリッジ９をカートリッジ保持部９に対して移動可能にする具体的構成は、上記のようにインクカートリッジ９が載置されるトレイ８４をレール８５で移動させる構成に限られない。
【０１０１】
また、上記実施形態では、円筒形のドラム（回動ドラム３０）でシートＳを支持するプリンター１に本発明を適用した場合を例示した。しかしながら、シートＳを支持する具体的構成はこれに限られない。したがって、平面でシートＳを支持するように構成しても構わない。
【０１０２】
また、印刷ヘッド３６ａ〜３６fの個数、配置、吐出する色等についても適宜変更が可能である。ＵＶランプ３７a〜３７e、３８の個数、配置、紫外線強度等についても適宜変更が可能である。さらには、シートＳの搬送態様についても、適宜変更が可能であり、上記のようなロール・トゥ・ロール以外の態様でシートＳを搬送するように構成しても構わない。
【０１０３】
また、上記実施形態では、ＵＶインクを吐出する印刷ヘッド３６ａ〜３６fを備えたプリンター１に本発明を適用していた。しかしながら、ＵＶインク以外のインク、例えばレジンインク等の水性インクを吐出する印刷ヘッドを備えたプリンターに対して本発明を適用しても構わない。あるいは、インク以外のものを用いて印刷を行うプリンターに対して本発明を適用しても構わない。
【符号の説明】
【０１０４】
１…プリンター、６…インクパック、６２…インク供給口、９…インクカートリッジ、９１…本体ケース、９２…扉、９１a…底部（金属部材）、９７１…挟持板、９７２…支持板、９５１…傾斜板、９４…傾斜部材、９４１…載置部、９４２…突出部
【図１】
2015058669.tif 000003
【図２】
2015058669.tif 000004
【図３】
2015058669.tif 000005
【図４】
2015058669.tif 000006
【図５】
2015058669.tif 000007
【図６】
2015058669.tif 000008
【図７】
2015058669.tif 000009
【図８】
2015058669.tif 000010
【図９】
2015058669.tif 000011
【図１０】
2015058669.tif 000012
【図１１】
2015058669.tif 000013
【図１２】
2015058669.tif 000014
【図１３】
2015058669.tif 000015
【図１４】
2015058669.tif 000016
【図１５】
2015058669.tif 000017
【図１６】
2015058669.tif 000018
【図１７】
2015058669.tif 000019
【図１８】
2015058669.tif 000020
【図１９】
2015058669.tif 000021
【図２０】
2015058669.tif 000022
【図２１】
2015058669.tif 000023
【図２２】
2015058669.tif 000024
【図２３】
2015058669.tif 000025
【図２４】
2015058669.tif 000026